(57)【特許請求の範囲】
【請求項１】
吐水孔を有し、前記吐水孔から洗浄水を噴出して女性局部に着水させるノズルを備え、
前記ノズルは、前記女性局部の第１の範囲に着水するように前記吐水孔から前記洗浄水を噴出する第１の吐水と、前記第１の範囲よりも広い第２の範囲に万遍なく着水するように前記吐水孔から前記洗浄水を噴出する第２の吐水と、を実行し、前記第２の吐水を実行する際には、前記第２の範囲における着水力が中心部よりも外周部で大きくなるように前記吐水孔から前記洗浄水を噴出し、
前記第２の範囲は、前記第１の範囲を含み、
前記第１の範囲の中心位置は、前記第２の範囲の中心位置からずれており、
前記第２の範囲の中心位置は、前記第１の範囲の中心位置からみて肛門とは反対の側に位置し、前記第１の範囲から前記肛門とは反対の側に外れ、
前記外周部は、前記第１の範囲から外れていることを特徴とする衛生洗浄装置。
【請求項２】
前記ノズルは、前記肛門寄りの下方から前記女性局部へ向けて洗浄水を噴射し、前記第２の吐水を実行する際には、前記吐水孔から円錐状に拡散するように前記洗浄水を吐水することにより前後方向を長手方向とする楕円形状に前記第２の範囲を形成することを特徴とする請求項１記載の衛生洗浄装置。
【請求項３】
前記ノズルを進退させるノズル駆動部をさらに備え、
前記ノズル駆動部は、前記第２の吐水を実行する際の前記ノズルの進出位置が前記第１の吐水を実行する際の前記ノズルの進出位置よりも前方に位置するように前記ノズルを進出させることを特徴とする請求項１記載の衛生洗浄装置。
【請求項４】
前記吐水孔は、
前記第１の吐水を実行する際に前記洗浄水を噴射する第１の吐水孔と、
前記第２の吐水を実行する際に前記洗浄水を噴射する第２の吐水孔と、
を有し、
前記第２の吐水孔は、前記第１の吐水孔よりも前方に設けられたことを特徴とする請求項１記載の衛生洗浄装置。
【請求項５】
吐水孔を有し、前記吐水孔から洗浄水を噴出して女性局部に着水させるノズルと、
前記ノズルを進退させるノズル駆動部と、を備え、
前記ノズルは、前記女性局部の第１の範囲に着水するように前記吐水孔から前記洗浄水を噴出する第１の吐水と、前記第１の範囲よりも広い第２の範囲に万遍なく着水するように前記吐水孔から前記洗浄水を噴出する第２の吐水と、を実行し、
前記第２の範囲は、前記第１の範囲を含み、
前記第１の範囲の中心位置は、前記第２の範囲の中心位置からずれており、
前記第２の範囲の中心位置は、前記第１の範囲の中心位置からみて肛門とは反対の側に位置し、
前記ノズル駆動部は、前記第２の吐水を実行する際の前記ノズルの進出位置が前記第１の吐水を実行する際の前記ノズルの進出位置よりも前方に位置するように前記ノズルを進出させることを特徴とする衛生洗浄装置。
【請求項６】
吐水孔を有し、前記吐水孔から洗浄水を噴出して女性局部に着水させるノズルを備え、
前記吐水孔は、
第１の吐水を実行する際に前記洗浄水を噴射する第１の吐水孔と、
第２の吐水を実行する際に前記洗浄水を噴射する第２の吐水孔と、
を有し、
前記ノズルは、前記女性局部の第１の範囲に着水するように前記第１の吐水孔から前記洗浄水を噴出する前記第１の吐水と、前記第１の範囲よりも広い第２の範囲に万遍なく着水するように前記第２の吐水孔から前記洗浄水を噴出する前記第２の吐水と、を実行し、
前記第２の範囲は、前記第１の範囲を含み、
前記第１の範囲の中心位置は、前記第２の範囲の中心位置からずれており、
前記第２の範囲の中心位置は、前記第１の範囲の中心位置からみて肛門とは反対の側に位置し、
前記第２の吐水孔は、前記第１の吐水孔よりも前方に設けられたことを特徴とする衛生洗浄装置。
【発明の詳細な説明】
【技術分野】
【０００１】
本発明の態様は、一般的に、衛生洗浄装置に関し、具体的には洋式腰掛便器に腰掛けた使用者の女性局部を水で洗浄する衛生洗浄装置に関する。
【背景技術】
【０００２】
ビデ洗浄において、洗浄面積が広いワイド洗浄と、洗浄面積が狭いスポット洗浄と、をボタン操作により変更することができる人体洗浄装置がある（特許文献１）。特許文献１に記載された人体洗浄装置によれば、例えば、吐水態様として、少ない流量で、洗浄力を低減させることなく、広い洗浄面積で洗浄する態様をとることができる。しかしながら、特許文献１に記載された人体洗浄装置は、ノズルを移動させることにより広い範囲を吐水する場合がある。この場合には、使用者は、ビデ洗浄の際に違和感を感ずるおそれがある。そのため、この点においては改善の余地がある。
【０００３】
また、給水された洗浄水に吐水孔の軸心回りの旋回力を付与して、洗浄水を吐水孔へ導き、旋回力を持った状態で洗浄水を吐水孔から吐水させる人体洗浄装置がある（特許文献２）。特許文献２に記載された人体洗浄装置は、ノズル移動を伴うことなく洗浄水を旋回吐水でき、洗浄範囲を旋回で定まる２次元的な形状に拡大できる。しかしながら、旋回吐水を行うと、旋回吐水の内部の中空部分、すなわち中抜け部分が着水時に生ずるため、その中抜け部分における洗浄性能については改善の余地がある。すなわち、例えば女性の生理時には、経血汚れが女性局部の周囲の広い範囲に亘って付着するため、広い範囲を一度にさっと洗浄したいという要望に応えるためには、更なる改良が求められている。
【０００４】
また、使用者から排出された排泄物の物性に応じて、水勢、洗浄範囲の広さやその形状などを適宜に変更すべく、ノズルから吐出される洗浄水の吐水条件を変更する人体局部洗浄装置がある（特許文献３）。特許文献３に記載された人体局部洗浄装置によれば、複雑で面倒な操作・調整を行うことなく、排泄物の種類や状態に拘わらず、確実で高い洗浄能力を発揮することができる。しかしながら、特許文献３に記載された人体局部洗浄装置は、おりもの洗浄において、「ねばねばモード」では「さらさらモード」より、流速を高くするとともに空気の混入率を減らすことによって強い水勢を得る。また、「ねばねばモード」ではおりものが膣入口付近で広がりにくいのに対し「さらさらモード」では広がり易いから、後者では前者よりも洗浄範囲を広げている。そのため、洗浄範囲の中心部における水勢が強く、女性のデリケートエリアに強い刺激が必要以上に加わるおそれがある。そのため、広い範囲を一度にさっと洗浄したいというビデ洗浄に求められる洗浄感としては課題が残る。
【先行技術文献】
【特許文献】
【０００５】
【特許文献１】特開２０００−２８２５４５号公報
【特許文献２】特開２００１−９０１５５号公報
【特許文献３】特開２００１−２７９７７９号公報
【発明の概要】
【発明が解決しようとする課題】
【０００６】
本発明は、かかる課題の認識に基づいてなされたものであり、用途に適した範囲に洗浄水を着水させて、快適なビデ洗浄を実行することができる衛生洗浄装置を提供することを目的とする。
【課題を解決するための手段】
【０００７】
第１の発明は、吐水孔を有し、前記吐水孔から洗浄水を噴出して女性局部に着水させるノズルを備え、前記ノズルは、前記女性局部の第１の範囲に着水するように前記吐水孔から前記洗浄水を噴出する第１の吐水と、前記第１の範囲よりも広い第２の範囲に万遍なく着水するように前記吐水孔から前記洗浄水を噴出する第２の吐水と、を実行し、前記第２の吐水を実行する際には、前記第２の範囲における着水力が中心部よりも外周部で大きくなるように前記吐水孔から前記洗浄水を噴出し、前記第２の範囲は、前記第１の範囲を含み、前記第１の範囲の中心位置は、前記第２の範囲の中心位置からずれており、前記第２の範囲の中心位置は、前記第１の範囲の中心位置からみて肛門とは反対の側に位置し、前記第１の範囲から前記肛門とは反対の側に外れ、前記外周部は、前記第１の範囲から外れていることを特徴とする衛生洗浄装置である。
【０００８】
この衛生洗浄装置によれば、ノズルは、第１の吐水を実行することができるため、便座に座った使用者の女性局部の狭い範囲に洗浄水を着水させることができる。そのため、洗浄したい洗浄箇所を好みに応じて重点的に洗浄することができる。一方、ノズルは、第２の吐水を実行することができるため、第１の吐水の場合よりも広い範囲を洗浄することができ、所望の広い範囲を一度にさっと洗浄することができる。
【０００９】
また、第１の吐水の着水範囲である第１の範囲は、第２の吐水の着水範囲である第２の範囲に含まれ、第２の範囲の中心位置は、第１の範囲の中心位置からずれている。そのため、第２の吐水の際には、女性の生理時における経血が付着する広い範囲に洗浄水を着水させることができ、快適なビデ洗浄を実行することができる。つまり、用途に適した範囲に洗浄水を着水させて、快適なビデ洗浄を実行することができる。  
また、女性の生理時の経血は、女性局部の前方すなわち膣からみて肛門とは反対側に広がる傾向がある。つまり、女性局部の前方すなわち膣からみて肛門とは反対側に、女性の生理時の経血汚れが付着しやすい。これに対して、この衛生洗浄装置では、第２の範囲の中心位置は、第１の範囲の中心位置からみて肛門とは反対側に位置している。そのため、第２の吐水の際には、経血が付着しやすい女性局部の前方の広い範囲を洗浄することができる。また、第２の吐水において、洗浄水が着水する範囲が肛門には広がらないように第２の範囲を広げることができる。そのため、第２の吐水の際には、より一層広い範囲に洗浄水を着水させ、その広い範囲を洗浄することができる。  
また、この衛生洗浄装置によれば、第２の吐水の着水力は、第２の範囲の中心部よりも外周部で大きいため、例えば女性の生理時には、経血汚れが女性局部の周囲の広い範囲に亘って付着する場合があるが、その広い範囲を一度にさっと洗浄したいという要望に応えることができる。また、着水力が大きい第２の範囲の外周部は、第１の範囲から外れているため、女性局部の中心付近に位置する女性のデリケートエリアに強い刺激が必要以上に加わることを抑制することができる。そのため、非常に心地よい洗浄感のビデ洗浄を実現することができる。
【００１０】
また、第２の発明は、第１の発明において、前記ノズルは、前記肛門寄りの下方から前記女性局部へ向けて洗浄水を噴射し、前記第２の吐水を実行する際には、前記吐水孔から円錐状に拡散するように前記洗浄水を吐水することにより前後方向を長手方向とする楕円形状に前記第２の範囲を形成することを特徴とする衛生洗浄装置である。
【００１１】
この衛生洗浄装置によれば、洗浄水は、肛門寄りの下方から女性局部へ向けて斜めに噴射されるため、吐水孔から円錐状に拡散させた洗浄水は、女性局部に着水するときには前後方向を長手方向とする楕円形状になる。そのため、女性の生理時における経血が付着する女性局部の前後方向に洗浄水を着水させて経血汚れを洗い流すことができる。この際、左右方向の着水範囲は、前後方向の着水範囲と比べて小さく抑えられるため、洗浄水が所望の洗浄エリア外の部分（例えば、大腿部）にまで不必要に当たることを抑えることができる。そのため、快適なビデ洗浄を実行することができる。
【００１２】
また、第３の発明は、第１の発明において、前記ノズルを進退させるノズル駆動部をさらに備え、前記ノズル駆動部は、前記第２の吐水を実行する際の前記ノズルの進出位置が前記第１の吐水を実行する際の前記ノズルの進出位置よりも前方に位置するように前記ノズルを進出させることを特徴とする衛生洗浄装置である。
【００１３】
この衛生洗浄装置によれば、ノズル駆動部は、第２の吐水を実行する際のノズルの進出位置が第１の吐水を実行する際のノズルの進出位置よりも前方に位置するようにノズルを進出させる。これにより、第２の範囲の中心位置を第１の範囲の中心位置からみて肛門とは反対側にずらすことができる。そのため、第２の吐水において洗浄水が女性局部に着水する際の角度が極端に浅くなることがなく、洗浄力が低下するのを防ぐことができる。また、ノズルの位置を変えることによって第１の吐水と第２の吐水とを実行するので、１つの吐水孔で第１の吐水と第２の吐水とを実行することが可能である。そのため、ノズルの構成を簡素化することができる。
【００１４】
また、第４の発明は、第１の発明において、前記吐水孔は、前記第１の吐水を実行する際に前記洗浄水を噴射する第１の吐水孔と、前記第２の吐水を実行する際に前記洗浄水を噴射する第２の吐水孔と、を有し、前記第２の吐水孔は、前記第１の吐水孔よりも前方に設けられたことを特徴とする衛生洗浄装置である。
【００１５】
この衛生洗浄装置によれば、第１の吐水孔と第２の吐水孔との位置を前後方向にずらすことにより、第１の範囲の中心位置を第２の範囲の中心位置からずらすことができる。そのため、第２の吐水において洗浄水が女性局部に着水する際の角度が極端に浅くなることがなく、洗浄力が低下するのを防ぐことができる。また、別々の吐水孔から第１の吐水と第２の吐水とをそれぞれ実行するので、吐水孔の形状を、第１の吐水および第２の吐水にそれぞれ適した形状にすることが可能となる。
【００１６】
また、第５の発明は、吐水孔を有し、前記吐水孔から洗浄水を噴出して女性局部に着水させるノズルと、前記ノズルを進退させるノズル駆動部と、を備え、前記ノズルは、前記女性局部の第１の範囲に着水するように前記吐水孔から前記洗浄水を噴出する第１の吐水と、前記第１の範囲よりも広い第２の範囲に万遍なく着水するように前記吐水孔から前記洗浄水を噴出する第２の吐水と、を実行し、前記第２の範囲は、前記第１の範囲を含み、前記第１の範囲の中心位置は、前記第２の範囲の中心位置からずれており、前記第２の範囲の中心位置は、前記第１の範囲の中心位置からみて肛門とは反対の側に位置し、前記ノズル駆動部は、前記第２の吐水を実行する際の前記ノズルの進出位置が前記第１の吐水を実行する際の前記ノズルの進出位置よりも前方に位置するように前記ノズルを進出させることを特徴とする衛生洗浄装置である。
【００１７】
この衛生洗浄装置によれば、ノズルは、第１の吐水を実行することができるため、便座に座った使用者の女性局部の狭い範囲に洗浄水を着水させることができる。そのため、洗浄したい洗浄箇所を好みに応じて重点的に洗浄することができる。一方、ノズルは、第２の吐水を実行することができるため、第１の吐水の場合よりも広い範囲を洗浄することができ、所望の広い範囲を一度にさっと洗浄することができる。  
また、第１の吐水の着水範囲である第１の範囲は、第２の吐水の着水範囲である第２の範囲に含まれ、第２の範囲の中心位置は、第１の範囲の中心位置からずれている。そのため、第２の吐水の際には、女性の生理時における経血が付着する広い範囲に洗浄水を着水させることができ、快適なビデ洗浄を実行することができる。つまり、用途に適した範囲に洗浄水を着水させて、快適なビデ洗浄を実行することができる。  
また、女性の生理時の経血は、女性局部の前方すなわち膣からみて肛門とは反対側に広がる傾向がある。つまり、女性局部の前方すなわち膣からみて肛門とは反対側に、女性の生理時の経血汚れが付着しやすい。これに対して、この衛生洗浄装置では、第２の範囲の中心位置は、第１の範囲の中心位置からみて肛門とは反対側に位置している。そのため、第２の吐水の際には、経血が付着しやすい女性局部の前方の広い範囲を洗浄することができる。また、第２の吐水において、洗浄水が着水する範囲が肛門には広がらないように第２の範囲を広げることができる。そのため、第２の吐水の際には、より一層広い範囲に洗浄水を着水させ、その広い範囲を洗浄することができる。  
また、この衛生洗浄装置によれば、ノズル駆動部は、第２の吐水を実行する際のノズルの進出位置が第１の吐水を実行する際のノズルの進出位置よりも前方に位置するようにノズルを進出させる。これにより、第２の範囲の中心位置を第１の範囲の中心位置からみて肛門とは反対側にずらすことができる。そのため、第２の吐水において洗浄水が女性局部に着水する際の角度が極端に浅くなることがなく、洗浄力が低下するのを防ぐことができる。また、ノズルの位置を変えることによって第１の吐水と第２の吐水とを実行するので、１つの吐水孔で第１の吐水と第２の吐水とを実行することが可能である。そのため、ノズルの構成を簡素化することができる。
【００１８】
また、第６の発明は、吐水孔を有し、前記吐水孔から洗浄水を噴出して女性局部に着水させるノズルを備え、前記吐水孔は、第１の吐水を実行する際に前記洗浄水を噴射する第１の吐水孔と、第２の吐水を実行する際に前記洗浄水を噴射する第２の吐水孔と、を有し、前記ノズルは、前記女性局部の第１の範囲に着水するように前記第１の吐水孔から前記洗浄水を噴出する前記第１の吐水と、前記第１の範囲よりも広い第２の範囲に万遍なく着水するように前記第２の吐水孔から前記洗浄水を噴出する前記第２の吐水と、を実行し、前記第２の範囲は、前記第１の範囲を含み、前記第１の範囲の中心位置は、前記第２の範囲の中心位置からずれており、前記第２の範囲の中心位置は、前記第１の範囲の中心位置からみて肛門とは反対の側に位置し、前記第２の吐水孔は、前記第１の吐水孔よりも前方に設けられたことを特徴とする衛生洗浄装置である。
【００１９】
この衛生洗浄装置によれば、ノズルは、第１の吐水を実行することができるため、便座に座った使用者の女性局部の狭い範囲に洗浄水を着水させることができる。そのため、洗浄したい洗浄箇所を好みに応じて重点的に洗浄することができる。一方、ノズルは、第２の吐水を実行することができるため、第１の吐水の場合よりも広い範囲を洗浄することができ、所望の広い範囲を一度にさっと洗浄することができる。  
また、第１の吐水の着水範囲である第１の範囲は、第２の吐水の着水範囲である第２の範囲に含まれ、第２の範囲の中心位置は、第１の範囲の中心位置からずれている。そのため、第２の吐水の際には、女性の生理時における経血が付着する広い範囲に洗浄水を着水させることができ、快適なビデ洗浄を実行することができる。つまり、用途に適した範囲に洗浄水を着水させて、快適なビデ洗浄を実行することができる。  
また、女性の生理時の経血は、女性局部の前方すなわち膣からみて肛門とは反対側に広がる傾向がある。つまり、女性局部の前方すなわち膣からみて肛門とは反対側に、女性の生理時の経血汚れが付着しやすい。これに対して、この衛生洗浄装置では、第２の範囲の中心位置は、第１の範囲の中心位置からみて肛門とは反対側に位置している。そのため、第２の吐水の際には、経血が付着しやすい女性局部の前方の広い範囲を洗浄することができる。また、第２の吐水において、洗浄水が着水する範囲が肛門には広がらないように第２の範囲を広げることができる。そのため、第２の吐水の際には、より一層広い範囲に洗浄水を着水させ、その広い範囲を洗浄することができる。  
また、この衛生洗浄装置によれば、第１の吐水孔と第２の吐水孔との位置を前後方向にずらすことにより、第１の範囲の中心位置を第２の範囲の中心位置からずらすことができる。そのため、第２の吐水において洗浄水が女性局部に着水する際の角度が極端に浅くなることがなく、洗浄力が低下するのを防ぐことができる。また、別々の吐水孔から第１の吐水と第２の吐水とをそれぞれ実行するので、吐水孔の形状を、第１の吐水および第２の吐水にそれぞれ適した形状にすることが可能となる。
【発明の効果】
【００２０】
本発明の態様によれば、用途に適した範囲に洗浄水を着水させて、快適なビデ洗浄を実行することができる衛生洗浄装置が提供される。
【図面の簡単な説明】
【００２１】
【図１】本発明の実施の形態にかかる衛生洗浄装置を備えたトイレ装置を表す斜視模式図である。
【図２】洗浄水の着水範囲、着水範囲の中心位置、および洗浄水の着水力を説明するための概念模式図である。
【図３】本実施形態にかかる衛生洗浄装置の要部構成を表すブロック図である。
【図４】ワイド吐水を説明するための断面模式図である。
【図５】スポット吐水を説明するための断面模式図である。
【図６】本実施形態の変形例にかかる洗浄水の着水範囲、着水範囲の中心位置、および洗浄水の着水力を説明するための概念模式図である。
【図７】本実施形態の他の変形例にかかる洗浄水の着水範囲、着水範囲の中心位置、および洗浄水の着水力を説明するための概念模式図である。
【図８】本実施形態のノズルの具体例を例示する斜視模式図である。
【図９】本具体例のノズルを上方から眺めた上面模式図である。
【図１０】図９に表した切断面Ａ−Ａにおける断面模式図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。
【００２３】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２４】
ケーシング４００の内部には、便座２００に座った使用者の女性局部の洗浄を実現する局部洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えば図示しないリモコンなどの操作部を操作すると、ノズル４１０を便器８００のボウル８０１内に進出させることができる。なお、図１に表した衛生洗浄装置１００では、ノズル４１０がボウル８０１内に進出した状態を表している。
【００２５】
ノズル４１０の先端部には、ひとつあるいは複数の吐水孔４１１が設けられている。そして、ノズル４１０は、その先端部に設けられた吐水孔４１１から水を噴射して、便座２００に座った使用者の女性局部を洗浄することができる。例えば、図１に表したノズル４１０では、ふたつの吐水孔４１１のうちの一方の吐水孔４１１は、ビデ洗浄用の吐水孔であり、他方の吐水孔４１１は、おしり洗浄用の吐水孔である。なお、本願明細書において「水」という場合には、冷水のみならず、加熱されたお湯も含むものとする。
【００２６】
図２は、洗浄水の着水範囲、着水範囲の中心位置、および洗浄水の着水力を説明するための概念模式図である。  
本実施形態のノズル４１０は、後に詳述するように、女性局部の第１の範囲５０９に着水するようにノズル４１０の吐水孔４１１から洗浄水を噴射するスポット吐水（第１の吐水）と、第１の範囲５０９よりも広い第２の範囲５０７に万遍なく着水するようにノズル４１０の吐水孔４１１から洗浄水を噴射するワイド吐水（第２の吐水）と、を実行することができる。
【００２７】
つまり、スポット吐水の着水範囲（第１の範囲）５０９は、ワイド吐水の着水範囲（第２の範囲）５０７よりも狭い。言い換えれば、ワイド吐水の着水範囲（第２の範囲）５０７は、スポット吐水の着水範囲（第１の範囲）５０９よりも広い。また、スポット吐水の着水範囲５０９は、図２に表したように、ワイド吐水の着水範囲５０７に含まれている。
【００２８】
ワイド吐水の着水範囲５０７の中心位置５０７ｃは、図２に表したように、スポット吐水の着水範囲５０９の中心位置５０９ｃからずれている。より具体的には、ワイド吐水の着水範囲５０７の中心位置５０７ｃは、スポット吐水の着水範囲５０９の中心位置５０９ｃからみて使用者６００の肛門６０１とは反対側に位置している。
【００２９】
ノズル４１０は、図２に表したように、膣６０３からみて肛門６０１寄りの下方から斜めに洗浄水５００を噴射する。そうすると、ワイド吐水およびスポット吐水の着水範囲５０７、５０９は、肛門６０１と膣６０３とを結ぶ方向、あるいは肛門６０１と尿道６０５とを結ぶ方向、あるいは膣６０３と尿道６０５とを結ぶ方向を長手方向とする楕円形状となる。本願明細書において、「ワイド吐水の着水範囲の中心位置」とは、ワイド吐水の着水範囲５０７の長軸の中心位置をいうものとする。一方、本願明細書において、「スポット吐水の着水範囲の中心位置」とは、スポット吐水の着水範囲５０９の長軸の中心位置をいうものとする。
【００３０】
また、着水部あるいは吐水孔４１１から所定の距離だけ離れた位置におけるワイド吐水の着水力は、図２に表したように、ワイド吐水の着水範囲５０７の中心部よりも外周部で大きい。もしくは、ワイド吐水の着水範囲５０７の中心部と外周部とで着水力を同等とする。  
ここで、本願明細書において、「着水力」とは、洗浄水５００の着水流速、着水水量、着水圧力の少なくともいずれかを意味し、また、単位面積あたりの洗浄水が有する運動量であり、汚れを落としたり、剥いだり、浮かせたりする力をいう。また、「着水流速」とは、着水部あるいは吐水孔４１１から所定の距離だけ離れた位置における洗浄水５００の流速をいう。また、「着水圧力」とは、着水部あるいは吐水孔４１１から所定の距離だけ離れた位置における単位面積あたりの運動量であり、汚れを落としたり、剥いだり、浮かせたりする力をいう。また、「着水水量」とは、着水部あるいは吐水孔４１１から所定の距離だけ離れた位置において単位時間あたりに着水する水量であり、汚れを洗い流す力をいう。
【００３１】
また、ワイド吐水の着水範囲５０７の中心位置５０７ｃは、スポット吐水の着水範囲５０９から外れている。つまり、ワイド吐水の着水範囲５０７の中心位置５０７ｃは、スポット吐水の着水範囲５０９には含まれていない。さらに、着水力が大きいワイド吐水の着水範囲５０７の外周部は、スポット吐水の着水範囲５０９には含まれていない。
【００３２】
本実施形態によれば、ノズル４１０は、ワイド吐水を実行することができるため、便座２００に座った使用者６００の女性局部のより広い範囲に洗浄水を着水させることができる。そのため、所望の広い範囲を一度にさっと洗浄することができる。一方、ノズル４１０は、スポット吐水を実行することができるため、ワイド吐水の場合よりも狭い範囲を洗浄することができ、洗浄したい洗浄箇所を好みに応じて重点的に洗浄することができる。
【００３３】
また、スポット吐水の着水範囲５０９は、ワイド吐水の着水範囲５０７に含まれ、ワイド吐水の着水範囲５０７の中心位置５０７ｃは、スポット吐水の着水範囲５０９の中心位置５０９ｃからずれている。そのため、ワイド吐水の際には、女性の生理時における経血が付着する広い範囲に洗浄水を着水させることができ、快適なビデ洗浄を実行することができる。つまり、用途に適した範囲に洗浄水を着水させて、快適なビデ洗浄を実行することができる。
【００３４】
また、女性の生理時の経血は、女性局部の前方すなわち膣６０３からみて肛門６０１とは反対側に広がる傾向がある。つまり、女性局部の前方すなわち膣６０３からみて肛門６０１とは反対側に、女性の生理時の経血汚れが付着しやすい。これに対して、本実施形態では、ワイド吐水の着水範囲５０７の中心位置５０７ｃは、スポット吐水の着水範囲５０９の中心位置５０９ｃからみて使用者６００の肛門６０１とは反対側に位置している。そのため、ワイド吐水の際には、経血が付着しやすい女性局部の前方の広い範囲に洗浄水を着水させて洗浄することができる。また、ワイド吐水において、洗浄水が着水する範囲が肛門６０１には広がらないようにワイド吐水の着水範囲５０７を広げることができる。そのため、ワイド吐水の際には、より一層広い範囲に洗浄水を着水させ、その広い範囲を洗浄することができる。
【００３５】
さらに、ワイド吐水の着水力を、ワイド吐水の着水範囲５０７の中心部と外周部とで同等もしくは外周部で大きくするため、例えば女性の生理時には、経血汚れが女性局部の周囲の広い範囲に亘って付着する場合があるが、その広い範囲を一度にさっと洗浄したいという要望に応えることができる。また、特に、着水力が大きいワイド吐水の着水範囲５０７の外周部は、スポット吐水の着水範囲５０９には含まれていないため、女性局部の中心付近に位置する女性のデリケートエリアに強い刺激が必要以上に加わることを抑制することができる。そのため、非常に心地よい洗浄感のビデ洗浄を実現することができる。
【００３６】
図３は、本実施形態にかかる衛生洗浄装置の要部構成を表すブロック図である。  
なお、図３は、水路系と電気系の要部構成を併せて表している。  
本実施形態にかかる衛生洗浄装置１００は、水道や貯水タンクなどの図示しない給水源から供給された水を導く流路１０を有する。流路１０の上流側には、電磁弁４４０が設けられている。電磁弁４４０は、開閉可能な電磁バルブであり、ケーシング４００の内部に設けられた制御部４０１からの指令に基づいて、熱交換器４５０への水の供給を制御する。
【００３７】
電磁弁４４０の下流側には、熱交換器４５０が設けられている。熱交換器４５０は、供給された水を加熱し所定の温水にする。なお、熱交換器４５０は、例えば、シーズヒータなどを用いた瞬間加熱式熱交換器でもよいし、貯湯タンクを用いた貯湯加熱式熱交換器でもよい。
【００３８】
熱交換器４５０の下流側には、圧力変調装置４７０が設けられている。この圧力変調装置４７０は、流路１０内の水の流れに脈動を与え、ノズル４１０の吐水孔４１１から吐水される水に脈動を与えることができる。なお、圧力変調装置４７０は、必ずしも設けられていなくともよい。
【００３９】
圧力変調装置４７０の下流側には、ノズル４１０が設けられている。ノズル４１０は、水勢（流量）の調整を行う流量調整弁４８０と、ワイド吐水の際に通水されるワイド吐水用流路４２７と、スポット吐水の際に通水されるスポット吐水用流路４２８と、ノズル本体４２０と、を有する。流量調整弁４８０は、水勢の調整を行うことができるとともに、ノズル４１０への給水の開閉や切替を行うことができる。
【００４０】
流量調整弁４８０は、制御部４０１からの指令に基づいて、ワイド吐水用流路４２７へ通水したり、スポット吐水用流路４２８へ通水することができる。あるいは、流量調整弁４８０は、所定の比率でワイド吐水用流路４２７およびスポット吐水用流路４２８へ通水することができる。これにより、使用者は、ワイド吐水用流路４２７を通過する洗浄水の流量と、スポット吐水用流路４２８を通過する洗浄水の流量と、の比率を適宜設定変更することにより、より広い範囲を一度にさっと洗浄するワイド吐水と、より狭い範囲を重点的に洗浄するスポット吐水と、を好みに応じて切り替えることができる。これについては、後に詳述する。
【００４１】
ノズル４１０は、ノズルモータ（ノズル駆動部）４９０からの駆動力を受け、便器８００のボウル８０１内に進出したり後退することができる。そして、ノズル４１０は、ボウル８０１内に進出した状態で吐水孔４１１から水を噴射して、便座２００に座った使用者の女性局部を洗浄することができる。
【００４２】
次に、本実施形態のノズル４１０の構造、ならびにワイド吐水およびスポット吐水の吐水形態について、図面を参照しつつ説明する。  
図４は、ワイド吐水を説明するための断面模式図である。
【００４３】
本実施形態のノズル４１０は、ノズル本体４２０と、スロート４３０と、を有する。ノズル本体４２０の内部には、図示しない水源から供給された洗浄水が通過するワイド吐水用流路４２７と、旋回流を生成可能な旋回室４２３と、旋回室４２３からの洗浄水をスロート４３０へ導く連通路４２５と、が設けられている。また、旋回室４２３の中央部には、より安定した旋回力の旋回流を生成する突設部４２４が設けられている。
【００４４】
旋回室４２３は、底部においてより大きな径を有する大径部内周壁４２３ｅと、連通路４２５へ向かうにつれて収縮した径を有する傾斜内周壁４２３ｆと、により形成され、中空室とされている。そして、傾斜内周壁４２３ｆは、その一端において連通路４２５に接続されている。一方、ワイド吐水用流路４２７は、旋回室４２３に偏心して接続されている。より具体的には、ワイド吐水用流路４２７は、旋回室４２３の大径部内周壁４２３ｅの接線方向に接続されている。
【００４５】
スロート４３０の内部には、ノズル本体４２０の連通路４２５から吐水された洗浄水が通過するスロート流路４３１が設けられている。そして、スロート流路４３１の一端には、スロート流路４３１を通過した洗浄水をスロート４３０の外部へ吐水する吐水孔４３３が形成されている。つまり、図４に表したノズル４１０のように、ノズル４１０がスロート４３０を有する場合には、スロート４３０に設けられた吐水孔４３３が図１に表した吐水孔４１１として機能する。吐水孔４３３の近傍のスロート流路４３１には、吐水孔４３３へ向かうにつれて流路が拡大するテーパ部４３２が形成されている。
【００４６】
なお、本実施形態のノズル４１０では、ノズル本体４２０とスロート４３０との間に隙間が設けられているが、この隙間は必ずしも設けられていなくともよい。すなわち、ノズル本体４２０とスロート４３０とが一体的に形成され、連通路４２５とスロート流路４３１とが接続されていてもよい。
【００４７】
ワイド吐水を実行する場合には、図示しない水源から供給される洗浄水は、ワイド吐水用流路４２７を通過してノズル４１０へ供給され、旋回室４２３へ流入する。ここで、ワイド吐水用流路４２７は、旋回室４２３の大径部内周壁４２３ｅの接線方向に接続されているため、旋回室４２３へ流入した洗浄水は、図４に表した矢印Ａ３のように、大径部内周壁４２３ｅおよび傾斜内周壁４２３ｆに沿って旋回する。そして、旋回室４２３において旋回した洗浄水は、旋回力を維持しつつ連通路４２５を通過し、スロート４３０のスロート流路４３１内へ吐水される。このとき、ノズル本体４２０から吐水された洗浄水は、旋回力を維持しているため、中央部に中空部分を有する液膜として中空円錐状に吐水される。以下、説明の便宜上、このように中空円錐状に吐水された洗浄水を「中空円錐状吐水」と称する。
【００４８】
そして、スロート流路４３１に流入した洗浄水は、旋回力を維持しつつスロート流路４３１の内壁に沿って流れ、吐水孔４３３へ導かれる。すなわち、スロート流路４３１を通過する洗浄水は、スロート流路４３１の内壁に付着するように流れる。そのため、スロート流路４３１を流れる洗浄水は、スロート流路４３１の内壁から摩擦力による抵抗を受け、その洗浄水の流速は、吐水孔４３３へ向かうにつれて遅くなる。これにより、図４に表したように、吐水孔４３３の近傍の液膜の厚さは、ノズル本体４２０から吐水されたときの液膜の厚さ、あるいはスロート流路４３１に流入した直後の液膜の厚さよりも厚い。
【００４９】
さらに、スロート流路４３１を流れる洗浄水の流速は、スロート流路４３１の内壁の近傍すなわち境界層よりもスロート流路４３１の中心部の方が速い。そのため、スロート流路４３１を流れる洗浄水の内部には、図４に表した矢印Ａ１のように、液膜を横断する方向に渦流が発生する。また、吐水孔４３３の近傍におけるスロート流路４３１には、吐水孔４３３へ向かうにつれて流路が拡大するテーパ部４３２が形成されているため、吐水孔４３３から吐水される洗浄水は、テーパ部４３２に沿って流れる。そのため、吐水孔４３３から吐水される洗浄水の内部には、液膜を横断する方向に渦流がより発生しやすい。
【００５０】
そうすると、吐水孔４３３から吐水された洗浄水は、中央部に中空部分を有する液膜として、すなわち中空円錐状吐水５１０として吐水されるが、吐水孔４３３からある程度離間した位置において粒化された水流（以下、説明の便宜上、「粒化水流」と称する）５２０へ遷移する。より具体的には、吐水孔４３３から吐水された中空円錐状吐水５１０の内部には、液膜を横断する方向に渦流が発生しているため、吐水孔４３３からある程度離間した位置において、隣接する渦流同士の間に亀裂が生ずる。そうすると、吐水孔４３３から吐水された中空円錐状吐水５１０は、図４に表したように、吐水孔４３３からある程度離間した位置において破砕される。このようにして、吐水孔４３３から吐水された中空円錐状吐水５１０は、粒化水流５２０へ遷移する。そして、中空円錐状吐水５１０が拡散する領域の内側には、粒化水流５２０が万遍なく行き渡る。
【００５１】
また、中空円錐状吐水５１０の中空部分の圧力は、中空円錐状吐水５１０の外側の圧力よりも小さい。これは、中空円錐状吐水５１０の中空部分には外部から空気が入りにくく、また、その中空部分の空気は中空円錐状吐水５１０の流れにより引き出されるためである。このようにして中空円錐状吐水５１０の中空部分の圧力が中空円錐状吐水５１０の外側の圧力よりも小さいことにより、中空円錐状吐水５１０は、吐水径（円錐径）が拡大することを抑制される。
【００５２】
そのため、本実施形態のノズル４１０によれば、粒化水流５２０が洗浄エリア外に着水することを抑制することができ、所望の洗浄エリア外の部分（例えば、大腿部）が不必要に濡れることを抑制することができる。これにより、便座２００に座った使用者が、所望の洗浄エリア外の部分が不必要に濡れることで不快感を感ずることを抑制することができる。
【００５３】
さらに、粒化水流５２０の径は、例えば約１ｍｍ程度であり、径が例えば約１０〜１００μｍ程度の霧と比較すると大きい。これは、前述したように、スロート流路４３１を流れる洗浄水の流速は、吐水孔４３３へ向かうにつれて遅くなり、吐水孔４３３の近傍の液膜の厚さは、より厚くなるためである。つまり、液膜の厚さがより厚い状態で吐水された中空円錐状吐水５１０を、スロート４３０の内部において発生した渦流により強制的に粒化するため、粒化水流５２０の径は、霧などと比較すると大きい。
【００５４】
これによれば、粒化水流５２０は、空気中を漂うおそれは少なく、所望の洗浄エリアの外部にまで飛散するおそれは少ない。つまり、本実施形態のノズル４１０によれば、粒化水流５２０が洗浄エリア外に着水することを抑制することができ、所望の洗浄エリア外の部分が不必要に濡れることを抑制することができる。また、粒化水流５２０の径は、より大きいため、着水部における着水力をより高めることができる。そのため、例えば女性の生理時における経血汚れなどを、より短時間の間に落としたり浮かせたりすることができ、また、より短時間の間に洗い流すことができる。
【００５５】
また、中空円錐状吐水５１０の中空部分の圧力が中空円錐状吐水５１０の外側の圧力よりも小さいことに関して前述したが、この中空円錐状吐水５１０の中空部分の圧力は、中空円錐状吐水５１０が破砕されない場合の中空円錐状吐水５１０の中空部分の圧力よりも大きい。これは、図４に表した矢印Ａ２のように、中空円錐状吐水５１０の中空部分の外部の空気が、隣接する渦流同士の間に生じた亀裂、あるいは破砕された中空円錐状吐水５１０の間から中空部分に入り込むためである。これによれば、中空円錐状吐水５１０の中空部分の圧力が小さくなりすぎることにより十分な広さの洗浄範囲を確保することができないおそれを抑制することができる。また、中空円錐状吐水５１０の中空部分の圧力は、中空円錐状吐水５１０が破砕されない場合の中空円錐状吐水５１０の中空部分の圧力よりも大きいため、液膜波動が生ずることを抑制することができる。
【００５６】
このように、本実施形態のワイド吐水によれば、中空円錐状吐水５１０の中空部分（洗浄水５００が拡散する領域の内側）に粒化水流５２０を万遍なく行き渡らせた状態で、便座２００に座った使用者の女性局部のより広い範囲に洗浄水を着水させることができる。そのため、所望の広い範囲を一度にさっと洗浄することができる。
【００５７】
図５は、スポット吐水を説明するための断面模式図である。  
ノズル本体４２０の内部には、ワイド吐水用流路４２７と同様に、図示しない水源から供給された洗浄水が通過するスポット吐水用流路４２８が設けられている。スポット吐水用流路４２８は、旋回室４２３の軸心へ向かうように旋回室４２３の大径部内周壁４２３ｅに接続されている。
【００５８】
スポット吐水を実行する際には、図示しない水源から供給される洗浄水は、スポット吐水用流路４２８を通過してノズル４１０へ供給され、旋回室４２３へ流入する。ここで、スポット吐水用流路４２８は、旋回室４２３の軸心へ向かうように旋回室４２３の大径部内周壁４２３ｅに接続されているため、旋回室４２３へ流入した洗浄水は、図５に表した矢印Ａ４のように、旋回することなく、あるいは旋回力を低減された状態で連通路４２５へ流れる。そして、旋回することなく、あるいは旋回力を低減された状態で連通路４２５へ流れた洗浄水は、連通路４２５を通過し、スロート４３０のスロート流路４３１内へ吐水される。このとき、ノズル本体４２０から吐水された洗浄水は、旋回力を有してしない、あるいは旋回力を低減されているため、直進流５３０として吐水される。
【００５９】
ノズル本体４２０から吐水された直進流５３０の一部は、直進流５３０から分離して液滴５４０となる。直進流５３０から分離した液滴５４０は、図５に表した矢印Ａ５のように、スロート流路４３１の内壁において反射される。そして、スロート流路４３１の内壁において反射された液滴５４０の一部は、再び直進流５３０と合流する。これにより、直進流５３０と周囲の空気との間において気液界面が生成される。そして、ノズル本体４２０から吐水された洗浄水は、直進流５３０と液滴５４０とが混在した状態で吐水孔４３３から吐水される。つまり、ノズル本体４２０から吐水された洗浄水は、水粒状に吐水される。
【００６０】
スポット吐水の際に吐水孔４３３から吐水された洗浄水は、ワイド吐水の際に吐水孔４３３から吐水された洗浄水のようには拡散せず、中空円錐状吐水５１０として吐水されることはない。つまり、スポット吐水の際に吐水孔４３３から吐水された洗浄水は、中空の状態ではなく、中実の状態あるいは充填された状態となっている。
【００６１】
このように、本実施形態のスポット吐水によれば、ワイド吐水の場合よりも狭い範囲を洗浄することができる。つまり、スポット吐水の着水範囲は、ワイド吐水の着水範囲よりも狭い。言い換えれば、ワイド吐水の着水範囲は、スポット吐水の着水範囲よりも広い。使用者は、洗浄したい洗浄箇所を好みに応じて重点的に洗浄することができる。
【００６２】
したがって、本実施形態によれば、使用者は、ワイド吐水用流路４２７を通過する洗浄水の流量と、スポット吐水用流路４２８を通過する洗浄水の流量と、の比率を適宜設定変更することにより、より広い範囲を一度にさっと洗浄するワイド吐水と、より狭い範囲を重点的に洗浄するスポット吐水と、を好みに応じて切り替えることができる。
【００６３】
また、スポット吐水の際には、直進流５３０および液滴５４０によりスロート流路４３１がほぼ満水の状態となる。そのため、前述したように、スポット吐水の際に吐水孔４３３から吐水された洗浄水は、中実の状態あるいは充填された状態となっている。一方、ワイド吐水の際に吐水孔４３３から吐水された洗浄水は、図４に関して前述したように、中央部に中空部分を有する液膜、すなわち中空円錐状吐水５１０となっている。これにより、スポット吐水の際に女性局部に着水する洗浄水の流速は、ワイド吐水の際に女性局部に着水する洗浄水の流速よりも遅い。
【００６４】
そのため、本実施形態のスポット吐水によれば、ワイド吐水の場合よりも狭い範囲を洗浄することができるとともに、女性局部の中心付近に位置する女性のデリケートエリアに強い刺激が必要以上に加わることを抑制することができる。そのため、非常に心地よい洗浄感のビデ洗浄を実現することができる。
【００６５】
また、図４および図５に表したノズル４１０のように、ノズル本体４２０とスロート４３０との間に隙間が設けられた場合には、その隙間を介してスロート流路４３１に空気を取り込むことができる。これによれば、より狭い範囲を重点的に洗浄するスポット吐水の吐水形態をより容易に形成することができる。さらに、スポット吐水の際に吐水孔４３３から吐水される洗浄水により多くの空気を混入させることができる。そのため、スポット吐水は、ワイド吐水よりもやわらかい洗浄感を与えることができる。
【００６６】
本実施形態では、吐水孔４３３から吐水される洗浄水に混入させる空気の混入量をワイド吐水よりもスポット吐水において多くすることができる。これによっても、スポット吐水は、ワイド吐水よりもやわらかい洗浄感を与えることができる。そのため、スポット吐水において、女性局部の中心付近に位置する女性のデリケートエリアに強い刺激が必要以上に加わることをより抑制することができ、より心地よい洗浄感のビデ洗浄を実現することができる。
【００６７】
次に、ワイド吐水およびスポット吐水の変形例について、図面を参照しつつ説明する。  図６は、本実施形態の変形例にかかる洗浄水の着水範囲、着水範囲の中心位置、および洗浄水の着水力を説明するための概念模式図である。
【００６８】
本変形例のノズル４１０ａには、２つのビデ洗浄用の吐水孔４１１ａ、４１１ｂが設けられている。一方の吐水孔４１１ａ（第２の吐水孔）は、ワイド吐水を実行する際に洗浄水を噴射する吐水孔であり、他方の吐水孔４１１ｂ（第１の吐水孔）は、スポット吐水を実行する際に洗浄水を噴射する吐水孔である。ワイド吐水用の吐水孔４１１ａは、スポット吐水用の吐水孔４１１ｂよりも前方すなわちノズル４１０ａの先端側に設けられている。
【００６９】
本変形例によれば、ワイド吐水用の吐水孔４１１ａとスポット吐水用の吐水孔４１１ｂとの位置を前後方向にずらすことにより、ワイド吐水の着水範囲５０７の中心位置５０７ｃをスポット吐水の着水範囲５０９の中心位置５０９ｃからずらすことができる。より具体的には、ワイド吐水用の吐水孔４１１ａをスポット吐水用の吐水孔４１１ｂよりも前方に設けることにより、ワイド吐水の着水範囲５０７の中心位置５０７ｃをスポット吐水の着水範囲５０９の中心位置５０９ｃからみて使用者６００の肛門６０１とは反対側にずらすことができる。
【００７０】
そのため、ワイド吐水において洗浄水が女性局部に着水する際の角度が極端に浅くなることがなく、洗浄力が低下するのを防ぐことができる。また、別々の吐水孔４１１ａ、４１１ｂから第１の吐水と第２の吐水とをそれぞれ実行するので、吐水孔４１１ａ、４１１ｂの形状を、第１の吐水および第２の吐水にそれぞれ適した形状にすることが可能となる。また、その他の効果についても、図２に関して前述した効果と同様の効果が得られる。
【００７１】
なお、本変形例では、ワイド吐水用の吐水孔４１１ａは、スポット吐水用の吐水孔４１１ｂよりも前方に設けられているが、これだけに限定されるわけではない。
【００７２】
ワイド吐水用の吐水孔４１１ａおよびスポット吐水用の吐水孔４１１ｂの向きを変えてもよい。これによれば、ワイド吐水用の吐水孔４１１ａおよびスポット吐水用の吐水孔４１１ｂの設置位置にかかわらず、ワイド吐水の着水範囲５０７の中心位置５０７ｃをスポット吐水の着水範囲５０９の中心位置５０９ｃから比較的自由にずらすことができる。
【００７３】
図７は、本実施形態の他の変形例にかかる洗浄水の着水範囲、着水範囲の中心位置、および洗浄水の着水力を説明するための概念模式図である。  
本変形例のノズル４１０には、１つのビデ洗浄用の吐水孔４１１が設けられている。つまり、ワイド吐水を実行する場合でも、スポット吐水を実行する場合でも、洗浄水は、１つの吐水孔４１１から噴射される。
【００７４】
そして、ノズルモータ４９０は、制御部４０１からの指令に基づいて、ワイド吐水を実行する際のノズル４１０の進出位置とスポット吐水を実行する際のノズル４１０の進出位置とをずらす。より具体的には、スポット吐水を実行する際には、ノズルモータ４９０は、図７に表した実線のノズル４１０の進出位置まで進出させる。一方、ワイド吐水を実行する際には、ノズルモータ４９０は、図７に表した破線のノズル４１０の進出位置まで進出させる。つまり、ノズルモータ４９０は、ワイド吐水を実行する際のノズル４１０の進出位置がスポット吐水を実行する際のノズル４１０の進出位置よりも前方に位置するように、ノズル４１０をボウル８０１内に進出させる。
【００７５】
これにより、ワイド吐水の着水範囲５０７の中心位置５０７ｃをスポット吐水の着水範囲５０９の中心位置５０９ｃからみて使用者６００の肛門６０１とは反対側にずらすことができる。そのため、ワイド吐水において洗浄水が女性局部に着水する際の角度が極端に浅くなることがなく、洗浄力が低下するのを防ぐことができる。また、ノズルの位置を変えることによってスポット吐水とワイド吐水とを実行するので、１つの吐水孔４１１によってスポット吐水とワイド吐水とを実行することが可能である。そのため、ノズル４１０の構成を簡素化することができる。さらに、１つの吐水孔４１１からスポット吐水とワイド吐水とを実行するので、スポット吐水とワイド吐水との切り替えの際にも、一旦止水する必要はなく、連続して吐水させることが可能である。また、その他の効果についても、図２に関して前述した効果と同様の効果が得られる。
【００７６】
次に、本実施形態のノズル４１０の具体例について、図面を参照しつつ説明する。  
図８は、本実施形態のノズルの具体例を例示する斜視模式図である。  
また、図９は、本具体例のノズルを上方から眺めた上面模式図である。  
また、図１０は、図９に表した切断面Ａ−Ａにおける断面模式図である。  
なお、本具体例では、図２および図７に表したように、ノズル４１０が１つのビデ洗浄用の吐水孔４１１を有する場合を例に挙げて説明する。
【００７７】
本具体例にかかるノズル４１０は、ノズル本体４２０を有する。ノズル本体４２０の内部には、ワイド吐水用流路４２７と、スポット吐水用流路４２８と、が設けられている。ワイド吐水用流路４２７は、図９に表したように、旋回室４２３の大径部内周壁４２３ｅの接線方向に接続されている。一方、スポット吐水用流路４２８は、図９に表したように、旋回室４２３の軸心へ向かうように大径部内周壁４２３ｅに接続されている。その他の構造は、図４および図５に関して前述したノズル４１０の構造と同様である。
【００７８】
ワイド吐水用流路４２７は、旋回室４２３の大径部内周壁４２３ｅの接線方向に接続されているため、ワイド吐水用流路４２７を通過して旋回室４２３へ流入した洗浄水は、大径部内周壁４２３ｅおよび傾斜内周壁４２３ｆに沿って旋回する。これは、図４に関して前述した如くである。一方、スポット吐水用流路４２８は、旋回室４２３の軸心へ向かうように大径部内周壁４２３ｅに接続されているため、スポット吐水用流路４２８を通過して旋回室４２３へ流入した洗浄水は、旋回することなく連通路４２５の一端、すなわち吐水孔４２６から吐水される。これは、図５に関して前述した如くである。
【００７９】
そのため、本具体例のノズル４１０によれば、ワイド吐水用流路４２７のみを介して旋回室４２３へ洗浄水を流入させると、より大きな旋回力を有する中空円錐状吐水５１０を吐水孔４２６から吐水することができる。また、本具体例にかかるノズル４１０が、図４に表したスロート４３０を有する場合には、吐水孔４３３から吐水された中空円錐状吐水５１０は、粒化水流５２０へ遷移する。そのため、この場合には、使用者は、より広い範囲を一度にさっと洗浄することができる。
【００８０】
これに対して、ワイド吐水用流路４２７のみではなく、ワイド吐水用流路４２７とスポット吐水用流路４２８とを介して旋回室４２３へ洗浄水を流入させると、旋回室４２３において生ずる旋回流の旋回力は、ワイド吐水用流路４２７のみを介して旋回室４２３へ洗浄水を流入させる場合よりも低減する。これは、ワイド吐水用流路４２７から旋回室４２３へ流入した洗浄水による旋回流と、スポット吐水用流路４２８から旋回室４２３へ流入した洗浄水による直進流と、が干渉するためである。そのため、この場合には、ワイド吐水用流路４２７のみを介して旋回室４２３へ洗浄水を流入させる場合よりも小さな旋回力を有する中空円錐状吐水５１０が吐水孔４２６から吐水される。
【００８１】
また、これに対して、スポット吐水用流路４２８のみを介して旋回室４２３へ洗浄水を流入させると、直進流５３０と液滴５４０とを吐水孔４２６から吐水することができる。そのため、この場合には、使用者は、洗浄したい洗浄箇所を好みに応じて重点的に洗浄することができる。
【００８２】
これによれば、ワイド吐水用流路４２７とスポット吐水用流路４２８とを介して旋回室４２３へ洗浄水を流入させる場合、およびスポット吐水用流路４２８のみを介して旋回室４２３へ洗浄水を流入させる場合には、ワイド吐水用流路４２７のみを介して旋回室４２３へ洗浄水を流入させる場合よりも狭い範囲を洗浄することができる。つまり、使用者は、洗浄したい洗浄箇所を好みに応じて重点的に洗浄することができる。
【００８３】
したがって、本具体例によれば、使用者は、ワイド吐水用流路４２７を通過する洗浄水の流量と、スポット吐水用流路４２８を通過する洗浄水の流量と、の比率を適宜設定変更することにより、より広い範囲を一度にさっと洗浄するワイド吐水と、より狭い範囲を重点的に洗浄するスポット吐水と、を好みに応じて切り替えることができる。
【００８４】
以上説明したように、本実施形態によれば、ノズル４１０は、ワイド吐水を実行することができるため、便座２００に座った使用者６００の女性局部のより広い範囲に洗浄水を着水させることができる。そのため、所望の広い範囲を一度にさっと洗浄することができる。一方、ノズル４１０は、スポット吐水を実行することができるため、ワイド吐水の場合よりも狭い範囲を洗浄することができ、洗浄したい洗浄箇所を好みに応じて重点的に洗浄することができる。
【００８５】
また、スポット吐水の着水範囲５０９は、ワイド吐水の着水範囲５０７に含まれ、ワイド吐水の着水範囲５０７の中心位置５０７ｃは、スポット吐水の着水範囲５０９の中心位置５０９ｃからずれている。そのため、ワイド吐水の際には、女性の生理時における経血が付着する広い範囲に洗浄水を着水させることができ、快適なビデ洗浄を実行することができる。つまり、用途に適した範囲に洗浄水を着水させて、快適なビデ洗浄を実行することができる。
【００８６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ノズル４１０などが備える各要素の形状、寸法、材質、配置などや吐水孔４１１、４１１ａ、４１１ｂの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８７】
１０ 流路、  １００ 衛生洗浄装置、  ２００ 便座、  ３００ 便蓋、  ４００ ケーシング、  ４０１ 制御部、  ４０４ 着座検知センサ、  ４１０、４１０ａ ノズル、  ４１１、４１１ａ、４１１ｂ 吐水孔、  ４２０ ノズル本体、  ４２３ 旋回室、  ４２３ｅ 大径部内周壁、  ４２３ｆ 傾斜内周壁、  ４２４ 突設部、  ４２５ 連通路、  ４２６ 吐水孔、  ４２７ ワイド吐水用流路、  ４２８ スポット吐水用流路、  ４３０ スロート、  ４３１ スロート流路、  ４３２ テーパ部、  ４３３ 吐水孔、  ４４０ 電磁弁、  ４５０ 熱交換器、  ４７０ 圧力変調装置、  ４８０ 流量調整弁、  ４９０ ノズルモータ、  ５００ 洗浄水、  ５０７ ワイド吐水の着水範囲、  ５０７ｃ 中心位置、  ５０９ スポット吐水の着水範囲、  ５０９ｃ 中心位置、  ５１０ 中空円錐状吐水、  ５２０ 粒化水流、  ５３０ 直進流、  ５４０ 液滴、  ６００ 使用者、  ６０１ 肛門、  ６０３ 膣、  ６０５ 尿道、  ８００ 便器、  ８０１ ボウル
【図１】
0005669005.tif 000002
【図２】
0005669005.tif 000003
【図３】
0005669005.tif 000004
【図４】
0005669005.tif 000005
【図５】
0005669005.tif 000006
【図６】
0005669005.tif 000007
【図７】
0005669005.tif 000008
【図８】
0005669005.tif 000009
【図９】
0005669005.tif 000010
【図１０】
0005669005.tif 000011